(57)【要約】      （修正有）【課題】建物の軒先上面側に配置固定して積雪の滑落による落雪現象やツララの発生を防止する屋根用落雪防止具を提供する。【解決手段】屋根用落雪防止具は、建物の屋根材の上面に載置可能なポリカーボネート製波板の底板部１と、該底板部１の屋根材の軒先側に垂直に立ち上がる鋼板製の前板部２と、前記底板部１の先端と前記前板部２の先端を連結する鋼板製の上板部３と、前記底板部１と前記前板部２と前記上板部３からなる三角形の側面を塞ぐ鋼板製の側板部４とからなる三角柱状枠体５から構成される。【選択図】図７
0003142196.tif 000002
【実用新案登録請求の範囲】
【請求項１】
建物の屋根材の上面に載置可能な底板部と、該底板部の屋根材の軒先側に垂直に立ち上がる前板部と、前記底板部の先端と前記前板部の先端を連結する上板部と、前記底板部と前記前板部と前記上板部からなる三角形の側面を塞ぐ側板部とからなる三角柱状枠体から構成されることを特徴とする屋根用落雪防止具。
【請求項２】
前記三角柱状枠体をトタン屋根材の横葺き部に固定する固定部材と、該固定部材と前記三角柱状枠体を連結する連結部材を設けたことを特徴とする請求項１記載の屋根用落雪防止具。
【請求項３】
前記前板部及び前記上板部には多数個の丸凹部切欠き部を設けたことを特徴とする請求項１記載の屋根用落雪防止具。
【考案の詳細な説明】
【技術分野】
【０００１】
本考案は、建物の軒先上面側に配置固定して積雪の滑落による落雪現象やツララの発生を防止する屋根用落雪防止具に関する。
【背景技術】
【０００２】
従来、屋根材の上面に落雪防止体を配置固定し、屋根材上の積雪の滑落による落雪現象を防止する屋根用落雪防止具が一般的に知られている（特許文献１を参照）。
この公知技術では、建物の屋根材の上面に載置可能な落雪防止体に落雪を止めるための雪止め部を突設し、該雪止め部に落雪の融雪水が通過可能な網状体を配設し、前記落雪防止体の軒先側に屋根の軒先部に嵌合可能な掛止部を持つ掛止部材を設けてなり、該掛止部材を屋根の軒先部の嵌合寸法に対応して屋根勾配方向に対して略交差する上下方向に移動調節可能な上下調節機構を設けたものである。
また、屋根材の上面に三角柱状体を配置固定し、屋根材上の積雪の滑落による落雪現象を防止する屋根用落雪防止具が知られている（特許文献２を参照）。
この公知技術は、底板部、前板部及び上板部からなる複数個の三角状枠を屋根勾配方向に直交する軒先方向に並列状に配置し、並列状に配置した複数個の三角状枠間に桟杆を架設して三角柱状体を形成し、該三角柱状体の底面を屋根材上に載置固定される載置面に形成すると共に前記三角柱状体の上面に網状体を配設してなるものである。
【特許文献１】実用新案登録第３１３５７７７号公報
【特許文献２】特開２００４−２７０２２２号公報
【考案の開示】
【考案が解決しようとする課題】
【０００３】
本考案は、建物の軒先上面側に配置固定して積雪の滑落による落雪現象やツララの発生を防止する屋根用落雪防止具を提供することを目的とする。
【課題を解決するための手段】
【０００４】
本考案の屋根用落雪防止具は、建物の屋根材の上面に載置可能な底板部と、該底板部の屋根材の軒先側に垂直に立ち上がる前板部と、前記底板部の先端と前記前板部の先端を連結する上板部と、前記底板部と前記前板部と前記上板部からなる三角形の側面を塞ぐ側板部とからなる三角柱状枠体から構成されるものである。
本考案の屋根用落雪防止具は、前記三角柱状枠体をトタン屋根材の横葺き部に固定する固定部材と、該固定部材と前記三角柱状枠体を連結する連結部材を設けたものである。
本考案の屋根用落雪防止具は、前記前板部及び前記上板部には多数個の丸凹部切欠き部を設けたものである。
【考案の効果】
【０００５】
本考案の屋根用落雪防止具は、建物の屋根材の上面に載置可能な底板部と、該底板部の屋根材の軒先側に垂直に立ち上がる前板部と、前記底板部の先端と前記前板部の先端を連結する上板部と、前記底板部と前記前板部と前記上板部からなる三角形の側面を塞ぐ側板部とからなる三角柱状枠体から構成されるので、建物の軒先上面側に配置固定して積雪の滑落による落雪現象やツララの発生を防止することができる。
【考案を実施するための最良の形態】
【０００６】
本考案の屋根用落雪防止具の一実施例を添付図面に基づいて、以下に説明する。
図１は本考案の屋根用落雪防止具の左側面図であり、本考案の屋根用落雪防止具は、建物の屋根材の上面に載置可能なポリカーボネート製波板の底板部１と、該底板部１の屋根材の軒先側に垂直に立ち上がる鋼板製の前板部２と、前記底板部１の先端と前記前板部２の先端を連結する鋼板製の上板部３と、前記底板部１と前記前板部２と前記上板部３からなる三角形の側面を塞ぐ鋼板製の側板部４とからなる三角柱状枠体５から構成される。
なお、６は前記三角柱状枠体５をトタン屋根材の横葺き部に固定する固定部材、７は前記固定部材６と前記三角柱状枠体５を連結する鋼板製帯状の連結部材である。
【０００７】
図２は本考案の屋根用落雪防止具の正面図であり、前記前板部２には図５に示す多数の丸凹部切欠き部８が形成され、該丸凹部切欠き部８から通気するようになっている。
【０００８】
図３は本考案の屋根用落雪防止具の背面図であり、前記上板部３には図６に示す多数の丸凹部切欠き部８が形成され、該丸凹部切欠き部８から底板部１へ融雪水が滴下するようになっている。
【０００９】
図４は図３の矢視方向縦断面図であり、略平坦な底板部１と、丸凹部切欠き部８を備えた前板部２と、丸凹部切欠き部８を備えた上板部３とからなる略直角三角形の断面を有し、前記前板部２の下部には屋根の軒先に嵌合する嵌合部９を設け、また屋根の横葺きトタンの折曲げ部分を避けるように側板部４の切欠き部１０を形成すると共に側板部４の下端を内側に折り曲げて横葺きトタンの折曲げ部分の高さを調節する調節部片１１を設ける。
【００１０】
次に、本考案の屋根用落雪防止具の操作動作を添付図面に基づいて、以下に説明する。
図７に示すように、本考案の屋根用落雪防止具の嵌合部９を屋根の軒先に嵌合させ、底板部１から延びる連結部材７により連結された固定部材６をトタン屋根材の横葺き部の折曲げ部分に固定する。
【００１１】
本考案の屋根用落雪防止具は、略直角三角形の断面を有しているので屋根の傾斜が緩くなり、積雪した雪が滑落することがなく、また溶けた融雪水は上板部３の丸凹部切欠き部８から滴下し、下部の底板部１の傾斜に沿って流れ、雨樋１２に集水されて排水される。
【００１２】
積雪の滑落による落雪現象やツララの発生を防止する個所に、本考案の屋根用落雪防止具を複数個軒先並べることにより、より広く積雪の滑落による落雪現象やツララの発生を防止する箇所を形成することができる。
【図面の簡単な説明】
【００１３】
【図１】本考案の屋根用落雪防止具の左側面図である。
【図２】本考案の屋根用落雪防止具の正面図である。
【図３】本考案の屋根用落雪防止具の背面図である。
【図４】本考案の屋根用落雪防止具の縦断面図である。
【図５】図４のＡ部の拡大断面図である。
【図６】図４のＢ部の拡大断面図である。
【図７】本考案の屋根用落雪防止具の使用状態の説明図である。
【符号の説明】
【００１４】
１  底板部
２  前板部
３  上板部
４  側板部
５  三角柱状枠体
６  固定部材
７  連結部材
８  丸凹部切欠き部
９  嵌合部
１０  切欠き部
１１  調節部片
１２  雨樋
【図１】
0003142196.tif 000003
【図２】
0003142196.tif 000004
【図３】
0003142196.tif 000005
【図４】
0003142196.tif 000006
【図５】
0003142196.tif 000007
【図６】
0003142196.tif 000008
【図７】
0003142196.tif 000009